(57)【要約】【課題】ディスプレイパネル破壊検知装置及びこれを応用した保全システムに関し、特に情報サービス装置のディスプレイの振動具合を検知することにより破壊又は不適切な操作行為を判定するとともに、末端の保全システムに接続するためのディスプレイパネル破壊検知装置及びこれを応用した保全システムを提供する。【解決手段】少なくとも１つの振動検知器１６、１７を備える情報サービス装置１０１、１０２において、ディスプレイの振動に基づいて振動情報を生成し、該振動情報に基づいて異常振動を判定し、異常振動であると判定されると、情報サービス装置１０１、１０２は、制御器１７、１９を介して警報信号を保全メインホスト１４に伝送してから、関連するディスプレイの位置及び異常振動イベントを管理センター１２に伝送する。【選択図】図１
0003168837.tif 000002
【実用新案登録請求の範囲】
【請求項１】
ディスプレイのハウジング上に設けられ、前記ディスプレイの振動信号、振動時間、振動振幅を含む振動情報を生成するための１つ又は複数の振動検知器と、
前記振動検知器及び保全メインホストに電気的に接続され、異常振動と判定された警報信号を前記保全メインホストに伝送するための制御器と、
を備え、
前記制御器は、
前記振動検知器からの前記振動情報を受信するための入出力インタフェースと、
前記振動情報を受信した後、比較ユニットを介して前記振動振幅が閾値を超えているかどうかの判定と、カウンターユニットを介して振動回数を計算するとともに単位時間における異常振動回数の判定と、を含む演算による異常振動の判定をするためのデータ処理ユニットと、
を有することを特徴とするディスプレイパネル破壊検知装置。
【請求項２】
前記ディスプレイパネル破壊検知装置は、通信インタフェースを更に備え、前記警報信号は、前記通信インタフェースを介して前記保全メインホストに伝送されることを特徴とする請求項１に記載のディスプレイパネル破壊検知装置。
【請求項３】
前記ディスプレイは、タッチパネルを備えることを特徴とする請求項１又は請求項２に記載のディスプレイパネル破壊検知装置。
【請求項４】
前記タッチパネルは、異常タッチ信号を判定するための駆動回路に電気的に接続されることを特徴とする請求項３に記載のディスプレイパネル破壊検知装置。
【請求項５】
情報サービス装置に設けられ、異常タッチ信号を判定するための駆動回路に電気的に接続されたタッチパネルを含むディスプレイと、
前記ディスプレイのハウジング上に設けられ、振動信号、振動時間、振動振幅を含む振動情報を生成するための振動検知器と、
前記振動検知器及び前記駆動回路に電気的に接続された制御器と、
を備え、
前記制御器は、
前記振動検知器からの前記振動情報を受信する、又は前記駆動回路からの前記異常タッチ信号を受信するための入出力インタフェースと、
前記異常タッチ信号に基づいて異常な操作又は破壊を判定する、又は前記振動情報を受信した後、比較ユニットを介して前記振動振幅が閾値を超えているかどうかの判定と、カウンターユニットを介して振動回数を計算するとともに単位時間における異常振動回数の判定と、を含む演算による異常振動の判定をするためのデータ処理ユニットと、
前記制御器に接続され、前記ディスプレイの位置及び異常振動を受信するとともに管理センターに伝送するための保全メインホストと、
を有することを特徴とするディスプレイパネル破壊検知装置を応用した保全システム。
【考案の詳細な説明】
【技術分野】
【０００１】
本考案は、ディスプレイパネル破壊検知装置及びこれを応用した保全システムに関し、特にタッチディスプレイを有する情報サービス装置に設けられた破壊検知装置及びその末端の保全システムに関するものである。
【背景技術】
【０００２】
従来の保全システムにおいては、特に、設備に対する侵入、移動又は破壊があるかどうかを各種の検知器により検知し、例えば金庫に対する強行侵入、又は金庫扉に対する破壊行為をモニター又は扉錠検知器により検知するものがある。
【０００３】
また、各公共の場所に設置された情報サービス装置についても、破壊されたり、不法に移動される虞がある。しかしながら、従来の技術では、モニターにより現場に対する監視又は各種の検知器による移動に対する判定はできるが、破壊行為を効果的に監視できないことがあった。
【先行技術文献】
【特許文献】
【０００４】
【特許文献１】特開２０００−８０８６０号公報
【考案の概要】
【考案が解決しようとする課題】
【０００５】
本考案は、従来の技術では公共の場所に設置された無人管理の情報サービス装置が破壊されたり、不適切に操作された場合に対する防御及び保全措置等を行うことができないという問題点を解決することを目的とする。
【課題を解決するための手段】
【０００６】
本考案は、公共の場所に設置された情報サービス装置、例えば各種の金融ＡＴＭ（Automated Teller Machine）に対して、機器保全の十分な措置を取るために、特に情報サービス装置のディスプレイ全体の振動具合を検知することにより破壊又は不適切な操作行為を判定するとともに、末端の保全サービスに接続するためのディスプレイパネル破壊検知装置及びこれを応用した保全システムを提供する。
【０００７】
一つの実施態様において、本考案にかかるディスプレイパネル破壊検知装置は、ディスプレイのハウジング上に設けられ、前記ディスプレイの振動に基づいて振動信号、振動時間、振動振幅等の情報を生成するための少なくとも１つの振動検知器を備える。該振動検知器は、制御器に接続されることにより保全メインホストに接続される。
【０００８】
制御器は、振動検知器からの前記振動情報を受信するとともに保全メインホストに接続するための入出力インタフェースを有する。また、制御器は、振動情報に基づいて異常振動があるかどうかを判定し、例えば、所定の閾値に基づいて異常振動振幅を判定するとともに、その振動回数又は単位時間における異常振動回数を計算してから、振動情報を警報信号に変換し、入出力インタフェースを介して保全メインホストに伝送するためのデータ処理ユニットを備える。また、他の実施態様において、制御器は、通信インタフェースを介して保全メインホストに接続されることにより警報信号及びその他の信号を伝送する。
【０００９】
特筆すべきは、上述のディスプレイは、タッチパネルであってもよく、この場合、タッチパネルの駆動回路により異常タッチ信号を判定することができる。例えば、パネルが破壊されると、乱雑なタッチ信号が発生するが、この信号により情報サービス装置が破壊されたという情報を得ることができる。
【００１０】
また、本考案は、前記ディスプレイパネル破壊検知装置を応用した保全システムをさらに提供する。この保全システムは、情報サービス装置に設けられたディスプレイを備え、そのハウジングに振動情報を生成するための振動検知器が設けられている。振動検知器は、制御器に接続されており、比較ユニットによる振動振幅が閾値を超えているかどうかの判断及びカウンターユニットによる振動回数を計算するとともに単位時間における異常振動回数の判定を含む異常振動を演算により判定する。異常振動があると判定されると、保全システムは、制御器の入出力インタフェース又は通信インタフェースを介して警報信号を保全メインホストに伝送してから、関連するディスプレイの位置及び異常振動情報を管理センターに伝送する。
【考案の効果】
【００１１】
本考案は、公共の場所に設置された無人管理の情報サービス装置、例えば各種の金融ＡＴＭに対して、情報サービス装置のディスプレイ全体の振動具合の検知、又はタッチパネルの破壊状況等を検知することにより破壊又は不当な操作行為を判定するとともに、保全システムを即時に起動するディスプレイパネル破壊検知装置及びこれを応用した保全システムを提供する。
【図面の簡単な説明】
【００１２】
【図１】本考案に係るディスプレイパネル破壊検知装置を応用した保全システムの模式図を示す。
【図２】本考案に係るディスプレイパネル破壊検知装置の一実施態様の模式図を示す。
【図３Ａ】本考案に係るディスプレイパネル破壊検知装置の一実施態様の内部回路ブロック図を示す。
【図３Ｂ】本考案に係るディスプレイパネル破壊検知装置の他の実施態様の内部回路ブロック図を示す。
【図４】本考案に係るディスプレイパネル破壊検知装置の他の実施態様の模式図を示す。
【図５】本考案に係るディスプレイパネル破壊検知装置のさらに他の実施態様の模式図を示す。
【考案を実施するための形態】
【００１３】
本考案に係るディスプレイパネル破壊検知装置及びこれを応用した保全システムは、公共の場所に設置された情報サービス装置、例えば各種の金融ＡＴＭ又は現金自動支払機等の金融サービス用機器や、制御スクリーンを有する販売機等の無人サービス装置に適用することが可能であるが、その用途は限定せず、タッチディスプレイを有する情報サービス装置の破壊検知装置、及びその末端の保全システムであるものとする。
【００１４】
タッチディスプレイパネルを有する情報サービス装置を使用する際、使用者は、通常あまり大きな力を入れることなく表面のガラスパネルに軽くタッチして選択オプションを操作する。そこで、本考案は、ディスプレイのハウジング上に設けられ、ディスプレイの振動を検知し、不適切な使用又は人為的な破壊等があるかどうかを振動の検知によって判定するとともに末端の保全システムに接続することにより情報サービス装置の十分な保全措置を図るためのディスプレイパネル破壊検知装置を提供する。
【００１５】
図１は、ディスプレイパネル破壊検知装置を応用した保全システムを示す。
【００１６】
保全メインホスト１４は複数の情報サービス装置に接続されるとともに、ネットワーク１０を介して管理センター１２に接続される。ここで、ネットワーク１０は、各種のタイプのネットワーク、例えばデータネットワーク、公共交換電話ネットワーク（ＰＳＴＮ）、携帯通信ネットワークでよい。情報サービス装置は、例えば、各場所に設置された金融ＡＴＭ、現金自動支払機等、保全施設を必要とする無人サービス機器、例えば情報ステーション（ＫＩＯＳＫ  ＴＥＲＭＩＮＡＬ）と呼ばれる機器、又はその他の操作表示インタフェースを有する無人機器であり、例えば図１にそれぞれ示すような、制御器１７、１９とディスプレイのハウジングに設置された振動検知器１６、１８を有する情報サービス装置１０１や情報サービス装置１０２である。なお、ディスプレイは、情報サービス装置のディスプレイであり、特にタッチパネルを有するディスプレイである。
【００１７】
この実施態様によれば、保全メインホスト１４は、情報サービス装置１０１及び情報サービス装置１０２に無線又は有線の方式により接続され、特に振動検知器１６、１８の制御器１７、１９に電気的に接続されることにより、制御器１７、１９を介して振動検知器１６、１８からの振動信号、振動時間、振動振幅を含む振動情報を受信する。
【００１８】
［第１の実施態様］
図２は、本考案に係るディスプレイパネル破壊検知装置の実施態様の模式図を示す。図２に示すように、ディスプレイ２０は、主に、タッチガラス２０１と、ディスプレイパネル２０３と、ディスプレイパネル２０３を被覆するディスプレイハウジング２０５と、を含んで構成されている。
【００１９】
また、ディスプレイハウジング２０５上に設けられた振動検知器２２は、タッチガラス２０１を有するディスプレイ２０上に直接設けられているため、ユーザがタッチガラス２０１にタッチする振動具合を感度よく検知することができる。これにより、情報サービス装置１０１、１０２のディスプレイ２０全体の振動具合を検知し、破壊又は不適切な操作行為を判定する。例えば、振動振幅が不適切な使用の条件に合致しているかどうかを閾値により判定する。
【００２０】
上述閾値は、振動検知器２２の感度を調整することにより設定することができる。設定される検知閾値は、振動回数、圧力、時間、衝撃振動振幅が設定された閾値（重圧）、所定の振幅の回数、所定の振幅の圧力持続時間に基づく異常操作や人為的破壊及び移動等の判定のための閾値を含む。
【００２１】
振動検知器２２は、制御器２４に電気的に接続される。制御器２４は、通常、ディスプレイ２０内又は関連する装置の内部に設けられるが、装置外部に設けられた独立した設備（機器）であってもよく、複数の振動検知器２２の振動情報を受信する。
【００２２】
他の実施態様によれば、振動検知器２２は、ディスプレイ２０の各位置に設けられた複数の検知器（図示せず）からなり、ディスプレイ振動の情報をより効果的に検知する。
【００２３】
図２に示すように、振動検知器２２は制御器２４に接続され、制御器２４はさらに有線又は無線の方式により保全メインホスト２６に接続される。保全メインホスト２６は、複数の制御器２４に同時に接続可能であり、制御器２４からの振動情報を受信し、異常振動があると判定されると、警報を末端の保全システム（管理センター１２）に通報する。
【００２４】
本考案に係る振動検知器２２は、感度調整可能な検知器を利用することにより振動を検知することができるが、それらの検知方法に限定されるものではない。例えば、振動物体を収容空間に設けるとともに検知回路に接続してなる振動検知器を利用してもよい。この場合、外力による振動が発生すると、振動物体が移動して検知回路に接触することでオン又オフの効果が発生し、振動信号が生成される。また、振動を光遮断の原理により検知する方法でもよく、例えば、発射器による赤外線を固定された透明物体に向けて出射させ、振動が発生した場合に、この透明物体が移動することによる光路の変更を検知することにより振動を判定することができるような赤外線検知器を利用する方法も考えられる。
【００２５】
さらに、磁石と磁気体との相互作用により微小の振動を検知する方法もある。例えば、振動が発生した場合、磁気体の移動による瞬間的なシフトによってコイル間の磁束量が変更し、誘導電流が生成されるため、その他の補助回路を介して振動振幅を判定することができる。
【００２６】
上述した振動検知器は、あくまでも例示であって、電子式、機械式又は光学式の解決案は、いずれも振動検知器の使用可能性を満たすものであるが、本考案の範囲は、これらによって局限されるものではない。
【００２７】
図３Ａは、本考案に係るディスプレイパネル破壊検知装置の内部回路ブロック図を示す。上述した各実施可能な振動検知器のほか、主要な回路は、図３Ａに示す制御器３０の内部回路ブロックである。
【００２８】
制御器３０は、複数の振動検知器３２１、３２２、３２３からの振動信号を同時に受信するとともに入出力インタフェース３０１からの各振動情報を受信することができ、振動情報から各振動検知器の所在位置、振動時間等を得てから、データ処理ユニット３０３を介して演算及び判定の工程を行うことができる。
【００２９】
データ処理ユニット３０３は、図３Ａに示すように、本考案に必要な機能によって、回路、ファームウエア（ｆｉｒｍｗａｒｅ）又はソフトウェアにより実現されるカウンターユニット３０７及び比較ユニット３０８を備えてもよい。データ処理ユニット３０３は、振動情報を受信した後、振動情報に蓄積されたデータ資料を分析・演算することにより、異常振動を判定する。異常振動の判定は、比較ユニット３０８を介して振動情報から計算された振動振幅が閾値を超えているかどうかの判定と、カウンターユニット３０７を介して振動回数を計算するとともに単位時間における異常振動回数の判定（単位時間における異常振動回数が閾値を超えているかどうかの判定）を含む。
【００３０】
閾値の比較及び所定の単位時間における異常振動回数の判定により、制御器３０は、各種の振動の関連情報を得るとともに不適切な操作、移動又は破壊の状態を判定することができる。この後、これらの関連情報は、データ資料、異常振動の警報情報をデジタル化し、例えば入出力インタフェース３０１を介して保全メインホスト３４に伝送することができる。
【００３１】
図３Ｂは、本考案に係るディスプレイパネル破壊検知装置の他の実施態様を示す。図３Ｂに示すように、制御器３０は、入出力インタフェース３０１を介して一つ又は複数の振動検知器３２１、３２２、３２３に接続されることにより、各種の振動情報を受信する。また、制御器３０は、通信インタフェース３０５を介して保全メインホスト３４に接続することができる。この通信インタフェース３０５は、上述した入出力インタフェース３０１を介する信号の伝送と異なっており、例えば、イーサネット（Ｅｔｈｅｒｎｅｔ；登録商標）、無線通信ネットワーク等、より多元的な情報伝送を提供することができる。
【００３２】
前記通信インタフェース３０５及び入出力インタフェース３０１は、いずれも単方向又は双方向伝送の有線又は無線接続インタフェースであってもよい。この実施態様において、管理者は、外部のネットワーク（図１に示すネットワーク１０）により保全メインホスト３４を介して制御器３０にアクセスすることにより、設定、保守、点検等の作業を行うことができ、特に、通信インタフェース３０５を介して遠隔の保守作業を達成（実行）することができる。
【００３３】
この実施態様において、振動検知器３２１、３２２、３２３は、振動信号、振動時間、振動振幅等の振動情報を生成し、制御器３０は、この振動情報に基づいて演算することにより関連データを得るとともに、異常振動があるかどうかを自動的に判定し、警報信号に変換することができる。この後、保全メインホスト３４は、警報信号を受信し、振動情報に蓄積された位置、時間等の情報と合わせることにより末端の保全システムが保全措置を行う。
【００３４】
［第２の実施態様］
図４は、本考案に係るディスプレイパネル破壊検知装置の他の実施例の模式図である。
【００３５】
ディスプレイ４０は、ユーザが操作できるタッチディスプレイを使用し、破壊されると、タッチパネルが大きく振動し、さらに異常なノイズ信号が発生する。本考案に係るディスプレイパネル破壊検知装置において、ディスプレイ４０上のタッチパネルは、異常タッチ信号を判定するための駆動回路４２に電気的に接続されてもよい。
【００３６】
駆動回路４２は、タッチパネルの信号駆動回路である。一般的には、使用者のタッチ位置に基づいてタッチ信号を生成するとともに、関連のコンピュータシステム４４に伝送し、コンピュータシステム４４は、タッチ信号に対応するコマンドを判定する。本考案に係る駆動回路４２によれば、駆動回路４２は、これらのタッチ信号が正常のタッチ行為であるかどうか、又は破壊によって発生された異常タッチ信号であるかを持続的に判定することができる。
【００３７】
この実施態様においては、ディスプレイ４０のディスプレイハウジング４０５内にディスプレイパネル４０３が嵌設され、その上にタッチガラス４０１が設けられているため、タッチガラス４０１が打ち破られたり、大きな衝撃を受けた場合には、大量かつ乱雑な異常タッチ信号が生成される。駆動回路４２は、この異常信号を制御器４６に伝送するとともに末端の保全メインホスト４８に通報する。
【００３８】
［第３の実施態様］
図５は、本考案に係るディスプレイパネル破壊検知装置の他の実施態様を示し、特に前記振動検知器とタッチパネルの駆動回路とを組み合わせるディスプレイパネル破壊検知装置を示す。
【００３９】
この実施態様において、ディスプレイ５０は、ディスプレイハウジング５０５内に設けられたディスプレイパネル５０３、及びタッチ用のタッチガラス５０１を備える。
【００４０】
ディスプレイハウジング５０５上に振動検知器５８が設けられ、タッチガラス５０１に備えられたタッチパネルに駆動回路５２が設けられることにより、２種類の振動検知の解決策を同時に提供することができる。
【００４１】
図３Ａ及び図３Ｂに示すように、制御器５４は、振動検知器５８及び駆動回路５２の入出力インタフェースを有し、振動検知器５８及び駆動回路５２に電気的に接続されることにより、振動検知器５８からの振動情報及び駆動回路５２からの異常タッチ信号を受信することができる。
【００４２】
制御器５４におけるデータ処理ユニット（図３Ａ又は図３Ｂ参照）は、振動情報に基づいて異常振動を判定する、又は異常タッチ信号に基づいて異常な操作又は破壊を判定することができ、制御器５４における通信インタフェース又は入出力インタフェースを介して警報信号を保全メインホスト５６に伝送してから、ディスプレイ５０の位置（所在位置）及び異常振動イベントを管理センター１２に伝送することができる。
【００４３】
図５の実施態様によれば、本考案は、振動検知器５８により異常振動信号を検知する一方、駆動回路５２により異常タッチ信号を得ることができる。これらの情報は、制御器５４が不適切な操作、破壊又は移動等があるかどうかを統合判定するとともに、保全メインホスト５６が後処理を行うことができる。
【００４４】
上述のように、本考案に係るディスプレイパネル破壊検知装置を応用した保全システムは、特に情報サービス装置上のディスプレイに適用可能であり、ディスプレイハウジングの振動、さらにタッチパネルの破壊情報を検知することにより、制御器の通信インタフェース又は入出力インタフェースを介して警報信号を保全メインホストに伝送してから、関連するディスプレイ位置及び異常振動を管理センターに伝送することができる。
【符号の説明】
【００４５】
１０  ネットワーク
１２  管理センター
１４  保全メインホスト
１０１  情報サービス装置
１０２  情報サービス装置
１６、１８  振動検知器
１７、１９  制御器
２０、４０、５０  ディスプレイ
２０１、４０１、５０１  タッチガラス
２０３、４０３、５０３  ディスプレイパネル
２０５、４０５、５０５  ディスプレイハウジング
２２  振動検知器
２４  制御器
２６  保全メインホスト
３０  制御器
３０１  入出力インタフェース
３０３  データ処理ユニット
３０５  通信インタフェース
３０７  カウンターユニット
３０８  比較ユニット
３２１、３２２、３２３  振動検知器
３４  保全メインホスト
４２、５２  駆動回路
４６、５４  制御器
４８、５６  保全メインホスト
４４  コンピュータシステム
５８  振動検知器
【図１】
0003168837.tif 000003
【図２】
0003168837.tif 000004
【図３Ａ】
0003168837.tif 000005
【図３Ｂ】
0003168837.tif 000006
【図４】
0003168837.tif 000007
【図５】
0003168837.tif 000008